【手続補正書】
【提出日】平成20年7月30日(2008.7.30)
【手続補正１】
【補正対象書類名】特許請求の範囲
【補正対象項目名】全文
【補正方法】変更
【補正の内容】
【特許請求の範囲】
【請求項１】
複数種類のデータフィールドからなるレコードから、選択されたデータフィールドのデータを差し込むためのフィールド領域を、テンプレートに基づいてページ内にレイアウトする情報処理装置であって、
第１情報に属する第１レコードと、第２情報に属する第２レコードを記憶する第１記憶手段と、
前記第１情報と前記第２情報との関連付けを示す関連付け情報を記憶する第２記憶手段と、
前記テンプレートに基づいて、指定された前記第１レコードのデータを差し込んだフィールド領域と、前記関連付け情報に従って前記第１レコードに関連付けられている前記第２レコードのデータを差し込んだフィールド領域をページ内にレイアウトするレイアウト手段と
を備えることを特徴とする情報処理装置。
【請求項２】
前記レイアウト手段は、前記テンプレートに基づいて、指定された第１レコードのデータを差し込んだ第１レコード用フィールド領域をページ内にレイアウトした後、前記関連付け情報に従って前記第１レコードに関連付けられている前記第２レコードのデータを差し込んだ第２レコード用フィールド領域を同一ページ内にレイアウトする
ことを特徴とする請求項１に記載の情報処理装置。
【請求項３】
前記レイアウト手段によるレイアウト結果を出力する出力手段を更に備える
ことを特徴とする請求項１に記載の情報処理装置。
【請求項４】
前記第１情報と前記第２情報との関連付けを示す関連付け情報を設定する設定手段を更に備え、
前記設定手段は、更に、前記第２レコードのデータを前記フィールド領域に差し込む優先順位を設定する優先順位設定手段を備える
ことを特徴とする請求項１に記載の情報処理装置。
【請求項５】
前記第１情報と前記第２情報との関連付けを示す関連付け情報を設定する設定手段を更に備え、
前記設定手段は、更に、前記第２レコードのデータを前記フィールド領域に差し込む頻度を設定する頻度設定手段を備える
ことを特徴とする請求項１に記載の情報処理装置。
【請求項６】
当該情報処理装置は、ネットワークに接続されたサーバ装置である
ことを特徴とする請求項１に記載の情報処理装置。
【請求項７】
前記ネットワークに接続されたクライアント装置へ、前記レイアウト手段によるレイアウト結果をプレビューするためのプレビュー画面を送信する送信手段を更に備える
ことを特徴とする請求項６に記載の情報処理装置。
【請求項８】
前記ネットワークに接続された画像形成装置へ、前記レイアウト手段によるレイアウト結果を送信する送信手段を更に備える
ことを特徴とする請求項６に記載の情報処理装置。
【請求項９】
複数種類のデータフィールドからなるレコードから、選択されたデータフィールドのデータを差し込むためのフィールド領域を、テンプレートに基づいてページ内にレイアウトする情報処理装置で実行される情報処理方法であって、
記憶媒体に記憶される、第１情報に属する第１レコードと、第２情報に属する第２レコードにおいて、前記第１情報と前記第２情報との関連付けを示す関連付け情報を設定する設定ステップと、
前記テンプレートに基づいて、指定された前記第１レコードのデータを差し込んだフィールド領域と、前記関連付け情報に従って前記第１レコードに関連付けられている前記第２レコードのデータを差し込んだフィールド領域をページ内にレイアウトするレイアウトステップと
を備えることを特徴とする情報処理方法。
【請求項１０】
複数種類のデータフィールドからなるレコードから、選択されたデータフィールドのデータを差し込むためのフィールド領域を、テンプレートに基づいてページ内にレイアウトする情報処理装置の制御をコンピュータに実行させるためのプログラムであって、
記憶媒体に記憶される、第１情報に属する第１レコードと、第２情報に属する第２レコードにおいて、前記第１情報と前記第２情報との関連付けを示す関連付け情報を設定する設定ステップと、
前記テンプレートに基づいて、指定された前記第１レコードのデータを差し込んだフィールド領域と、前記関連付け情報に従って前記第１レコードに関連付けられている前記第２レコードのデータを差し込んだフィールド領域をページ内にレイアウトするレイアウトステップと
をコンピュータに実行させることを特徴とするプログラム。
【請求項１１】
複数種類のデータフィールドからなるレコードから、選択されたデータフィールドのデータを差し込むためのフィールド領域を、テンプレートに基づいてページ内にレイアウトする情報処理装置であって、
商品情報に属する商品レコードと、広告情報に属する広告レコードを記憶する第１記憶手段と、
前記商品情報と前記広告情報との関連付けを示す関連付け情報を記憶する第２記憶手段と、
前記テンプレートに基づいて、指定された前記商品レコードのデータを差し込んだフィールド領域と、前記関連付け情報に従って前記商品レコードに関連付けられている前記広告レコードのデータを差し込んだフィールド領域をページ内にレイアウトするレイアウト手段と
を備え、
前記レイアウト手段は、前記商品レコードのデータを差し込むフィールド領域を前記広告レコードのデータを差し込むフィールド領域より優先してレイアウトする
ことを特徴とする情報処理装置。
【請求項１２】
複数種類のデータフィールドからなるレコードから、選択されたデータフィールドのデータを差し込むためのフィールド領域を、テンプレートに基づいてページ内にレイアウトする情報処理装置であって、
商品情報に属する商品レコードと、広告情報に属する広告レコードを記憶する第１記憶手段と、
前記商品情報と前記広告情報との関連付けを示す関連付け情報を記憶する第２記憶手段と、
前記広告情報の数に対応するテンプレートを選択する選択手段と、
前記選択手段により選択されたテンプレートに基づいて、指定された前記商品レコードのデータを差し込んだフィールド領域と、前記関連付け情報に従って前記商品レコードに関連付けられている前記広告レコードのデータを差し込んだフィールド領域をページ内にレイアウトするレイアウト手段と
を備え、
前記レイアウト手段は、前記商品レコードのデータを差し込むフィールド領域を前記広告レコードのデータを差し込むフィールド領域より優先してレイアウトする
ことを特徴とする情報処理装置。
【請求項１３】
商品情報に属する商品レコードと、広告情報に属する広告レコードを記憶する第１記憶手段と、前記商品情報と前記広告情報との関連付けを示す関連付け情報を記憶する第２記憶手段と有し、複数種類のデータフィールドからなるレコードから、選択されたデータフィールドのデータを差し込むためのフィールド領域を、テンプレートに基づいてページ内にレイアウトする情報処理装置で実行される情報処理方法であって、
前記テンプレートに基づいて、指定された前記商品レコードのデータを差し込んだフィールド領域と、前記関連付け情報に従って前記商品レコードに関連付けられている前記広告レコードのデータを差し込んだフィールド領域をページ内にレイアウトするレイアウトステップを備え、
前記レイアウトステップは、前記商品レコードのデータを差し込むフィールド領域を前記広告レコードのデータを差し込むフィールド領域より優先してレイアウトする
ことを特徴とする情報処理方法。
【請求項１４】
商品情報に属する商品レコードと、広告情報に属する広告レコードを記憶する第１記憶手段と、前記商品情報と前記広告情報との関連付けを示す関連付け情報を記憶する第２記憶手段とを有し、複数種類のデータフィールドからなるレコードから、選択されたデータフィールドのデータを差し込むためのフィールド領域を、テンプレートに基づいてページ内にレイアウトする情報処理装置で実行される情報処理方法であって、
前記広告情報の数に対応するテンプレートを選択する選択ステップと、
前記選択ステップにより選択されたテンプレートに基づいて、指定された前記商品レコードのデータを差し込んだフィールド領域と、前記関連付け情報に従って前記商品レコードに関連付けられている前記広告レコードのデータを差し込んだフィールド領域をページ内にレイアウトするレイアウトステップと
を備え、
前記レイアウトステップは、前記商品レコードのデータを差し込むフィールド領域を前記広告レコードのデータを差し込むフィールド領域より優先してレイアウトする
ことを特徴とする情報処理方法。
【請求項１５】
商品情報に属する商品レコードと、広告情報に属する広告レコードを記憶する第１記憶手段と、前記商品情報と前記広告情報との関連付けを示す関連付け情報を記憶する第２記憶手段とを有し、複数種類のデータフィールドからなるレコードから、選択されたデータフィールドのデータを差し込むためのフィールド領域を、テンプレートに基づいてページ内にレイアウトするコンピュータで実行されるプログラムにおいて、
前記テンプレートに基づいて、指定された前記商品レコードのデータを差し込んだフィールド領域と、前記関連付け情報に従って前記商品レコードに関連付けられている前記広告レコードのデータを差し込んだフィールド領域をページ内にレイアウトするレイアウトステップをコンピュータに実行させるプログラムであって、
前記レイアウトステップは、前記商品レコードのデータを差し込むフィールド領域を前記広告レコードのデータを差し込むフィールド領域より優先してレイアウトする
ことを特徴とするプログラム。
【請求項１６】
商品情報に属する商品レコードと、広告情報に属する広告レコードを記憶する第１記憶手段と、前記商品情報と前記広告情報との関連付けを示す関連付け情報を記憶する第２記憶手段とを有し、複数種類のデータフィールドからなるレコードから、選択されたデータフィールドのデータを差し込むためのフィールド領域を、テンプレートに基づいてページ内にレイアウトするコンピュータで実行されるプログラムにおいて、
前記広告情報の数に対応するテンプレートを選択する選択ステップと、
前記選択ステップにより選択されたテンプレートに基づいて、指定された前記商品レコードのデータを差し込んだフィールド領域と、前記関連付け情報に従って前記商品レコードに関連付けられている前記広告レコードのデータを差し込んだフィールド領域をページ内にレイアウトするレイアウトステップと
をコンピュータに実行させるプログラムであって、
前記レイアウトステップは、前記商品レコードのデータを差し込むフィールド領域を前記広告レコードのデータを差し込むフィールド領域より優先してレイアウトする
ことを特徴とするプログラム。